(57)【特許請求の範囲】
【請求項１】
除菌ランプと、
前記除菌ランプを収納している除菌ランプ保護管と、
内部に前記除菌ランプ及び前記除菌ランプ保護管を収納し、かつ端部に開口部を有する筒状の本体部と、
前記開口部に配置される蓋部材とを備え、
前記本体部は、内部に、前記除菌ランプ保護管の外周面及び前記本体部の内壁面により画された除菌対象となる流体の流路を有し、
前記蓋部材は、内部に、前記除菌対象となる流体が入出する接続口と、一方において前記接続口に連通し、他方において前記流路に連通するキャビティとを有し、
前記キャビティの内壁及び前記除菌ランプ保護管の外周面は、前記蓋部材の内部において前記除菌対象となる流体が流れる蓋内流路を画し、
前記キャビティの前記内壁は、前記接続口側から前記流路側に向かって前記本体部の中心軸線の周囲を周回するにしたがって前記本体部に近づくように傾斜している、除菌装置。
【請求項２】
前記蓋内流路の前記接続口側の端に位置する部分は、前記蓋内流路の前記接続口側の前記端から前記本体部の中心軸線の周囲を１周回した場所に位置する部分と重ならないように傾斜している、請求項１に記載の除菌装置。
【請求項３】
前記接続口は、内周面が前記接続口の中心軸線に平行となっている平行部を含み、
前記接続口の前記キャビティと連通している部分における前記本体部の中心軸線に垂直な方向における幅は、前記接続口の前記平行部における前記本体部の中心軸線に垂直な方向における幅よりも小さい、請求項１又は２に記載の除菌装置。
【請求項４】
前記キャビティの前記接続口と連通している部分における前記本体部の中心軸線に平行な方向における高さは、前記接続口の前記キャビティと連通している部分における前記本体部の中心軸線に平行な方向における最大高さよりも大きい、請求項１〜３のいずれか１項に記載の除菌装置。
【請求項５】
前記本体部の一方の端部に配置された前記蓋部材と前記本体部の他方の端部に配置された前記蓋部材とは、同一の形状を有している、請求項１〜４のいずれか１項に記載の除菌装置。
【請求項６】
循環経路と、
前記循環経路上に配置された、請求項１〜５のいずれか１項に記載の前記除菌装置とを備える、温水装置。
【発明の詳細な説明】
【技術分野】
【０００１】
本発明は、除菌装置及び温水装置に関する。
【背景技術】
【０００２】
従来から、特開２０１４−４６３０６号公報（特許文献１）に記載の水殺菌装置及び特開２０１４−７６４２２号公報（特許文献２）に記載の殺菌装置が知られている。
【０００３】
特許文献１に記載の水殺菌装置は、ハウジングと、紫外線ランプと、一対のノズルとを有している。紫外線ランプは、ハウジング中に収納されている。ノズルは、ハウジングの内部と連通している。一方のノズルからハウジング内部に導入される水は、ハウジング内部において紫外線ランプの周囲を旋回し、他方のノズルから排出される。特許文献１に記載の水殺菌装置においては、ノズルによりハウジングの内周面の接線方向から水を導入することにより、旋回流を生じさせている。
【０００４】
特許文献２に記載の殺菌装置は、ハウジングと、光源とを有している。ハウジングは、内部に筒状流路を有している。光源は、筒状流路を流れる流体に紫外線を照射する。特許文献２に記載の殺菌装置は、筒状流路内において、流体の旋回流を生じさせる構造を有している。より具体的には、流体を筒状流路に導入する入口側流路が、筒状流路の中心軸からオフセットした位置に設けられている。
【先行技術文献】
【特許文献】
【０００５】
【特許文献１】特開２０１４−４６３０６号公報
【特許文献２】特開２０１４−７６４２２号公報
【発明の概要】
【発明が解決しようとする課題】
【０００６】
上記のとおり、特許文献１及び特許文献２には、除菌対象となる流体をハウジング内において旋回させるための構成が開示されている。しかしながら、特許文献１及び特許文献２のいずれにも、除菌対象となる流体を、ハウジング内に通過させる際の圧力損失が生じるとの課題及びその課題を解決するための詳細な構成について、記載も示唆もされていない。
【０００７】
本発明は、このような従来技術の問題点に鑑みてなされたものである。すなわち、本発明は、除菌対象となる流体を通過させる際の圧力損失を抑制することが可能な除菌装置及び温水装置を提供するものである。
【課題を解決するための手段】
【０００８】
本発明の一態様に係る除菌装置は、除菌ランプと、内部に、除菌対象となる流体の流路を有し、内部に除菌ランプを収納し、かつ端部に開口部を有する筒状の本体部と、開口部に配置される蓋部材とを備える。蓋部材は、内部に、除菌対象となる流体が入出する接続口と、一方において接続口に連通し他方において流路に連通するキャビティとを有する。
【０００９】
キャビティの内壁は、蓋部材の内部において除菌対象となる流体が流れる蓋内流路を画している。キャビティの内壁は、接続口側から流路側に向かって本体部の中心軸線の周囲を周回するにしたがって本体部に近づくように傾斜している。
【００１０】
本発明の一態様に係る除菌装置によると、除菌対象となる流体を本体部の内部の流路に通過させる際の圧力損失を抑制することが可能となる。
【００１１】
上記の除菌装置において、蓋内流路の接続口側の端に位置する部分は、蓋内流路の接続口側の端から本体部の中心軸線の周囲を１周回した場所に位置する部分と重ならないように傾斜していてもよい。この場合、除菌対象となる流体を本体部の内部の流路に通過させる際の圧力損失をさらに抑制することが可能となる。
【００１２】
上記の除菌装置において、接続口は、内周面が接続口の中心軸線に平行となっている平行部を含んでいてもよい。接続口のキャビティと連通している部分における本体部の中心軸線に垂直な方向における幅は、接続口の平行部における本体部の中心軸線に垂直な方向における幅よりも小さくてもよい。
【００１３】
上記の除菌装置において、キャビティの接続口と連通している部分における本体部の中心軸線に平行な方向における高さは、接続口のキャビティと連通している部分における本体部の中心軸線に平行な方向における最大高さよりも大きくてもよい。この場合、除菌対象となる流体を本体部の内部の流路に通過させる際の圧力損失をさらに抑制することが可能となる。
【００１４】
上記の除菌装置において、本体部の一方の端部に配置された蓋部材と本体部の他方の端部に配置された蓋部材とは、同一の形状を有していてもよい。この場合、除菌対象となる流体の入口側の蓋部材と、除菌対象となる流体の出口側の蓋部材とで部材を共通化することができ、除菌装置の製造コストを低減することが可能となる。
【００１５】
本発明の一態様に係る温水装置は、循環経路と、循環経路上に配置された上記の除菌装置とを備える。本発明の一態様に係る温水装置によると、循環経路を流れる除菌対象となる流体を除菌する際の圧力損失を抑制することが可能となる。
【発明の効果】
【００１６】
本発明によると、除菌対象となる流体を通過させる際の圧力損失を抑制することが可能となる。
【図面の簡単な説明】
【００１７】
【図１】実施形態に係る除菌装置の斜視図である。
【図２】図１のＩＩ−ＩＩにおける断面図である。
【図３】第１の蓋部材の断面斜視図である。
【図４】図１のＩＶ−ＩＶにおける断面図である。
【図５】図１のＶ−Ｖにおける断面図である。
【図６】蓋内流路と入水側接続口により構成される流路の形状を示す上面図である。
【図７】図５のＶＩＩ−ＶＩＩにおける断面図である。
【図８】図６のＶＩＩＩ−ＶＩＩＩにおける断面図である。
【図９】実施形態に係る温水装置の構成を示す模式図である。
【発明を実施するための形態】
【００１８】
（実施形態に係る除菌装置の構成）
以下に、実施形態に係る除菌装置の構成について、図１〜図８を参照して説明する。なお、各図中同一または相当部分には同一符号を付している。また、以下に記載する実施形態の少なくとも一部を任意に組み合わせてもよい。さらに、長さ、幅、厚さ、深さなどの寸法関係は、図面の明瞭化のために適宜変更されており、実際の寸法関係を表すものではない。
【００１９】
図１に示すように、実施形態に係る除菌装置は、本体部１と、除菌ランプ２と、蓋部材３とを有している。蓋部材３は、一対となる第１の蓋部材３ａと第２の蓋部材３ｂとから構成されている。実施形態に係る除菌装置は、固定部材４をさらに有していてもよい。
【００２０】
本体部１は、筒状の形状を有している。好ましくは、本体部１は、円筒状の形状を有している。すなわち、本体部１の中心軸線Ａ１に垂直な方向における断面は、円形形状であることが好ましい。本体部１には、例えばステンレス鋼等が用いられる。
【００２１】
図２に示すように、本体部１の内部には、除菌ランプ保護管１１が設けられている。除菌ランプ保護管は、本体部１の内部を流れる流体から除菌ランプ２を保護するための部材である。除菌ランプ保護管１１は、本体部１の内部に配置されている。除菌ランプ保護管１１は、好ましくは円筒形状を有している。除菌ランプ保護管１１は、本体部１より長さが長い。除菌ランプ保護管１１は、除菌ランプ２から照射される光に対して透明である。除菌ランプ保護管１１には、例えば石英ガラスが用いられる。
【００２２】
本体部１は、流路１２を有している。流路１２は、本体部１の内部に設けられている。より具体的には、流路１２は、除菌ランプ保護管１１の外周面と本体部１の内壁面とにより画される空間である。流路１２には、除菌対象となる流体（例えば、湯水）が流れることになる。
【００２３】
本体部１は、端部１３を有している。端部１３は、本体部１の中心軸線Ａ１に平行な方向の端に位置する部分である。端部１３において、本体部１は開口部１４を有している。本体部１は、両方の端部１３において開口部１４を有していることが好ましい。好ましくは、端部１３は、本体部１の中心軸線Ａ１に平行な方向からみて、外周方向に広がっている形状を有している。これにより、蓋部材３を本体部１に挿入することが容易となる。
【００２４】
除菌ランプ２は、流体を除菌する光を放出するランプである。好ましくは、除菌ランプ２は、紫外線を放出する蛍光灯である。除菌ランプ２は、紫外線を放出するＬＥＤ（Light  Emitting  Diode）であってもよい。すなわち、除菌ランプ２は、流体を除菌するランプであれば特に限定されない。除菌ランプ２は、本体部１の内部に配置されている。より具体的には、除菌ランプ２は、除菌ランプ保護管１１の内部に挿入されている。除菌ランプ２は、本体部１の中心軸線Ａ１に平行な方向に延伸している形状を有している。除菌ランプ２の端部は、ソケット、電装部品が取り付けられた電装部２１となっている。
【００２５】
第１の蓋部材３ａは、内側面３１と、外側面３２と、外周面３３とを有している。内側面３１は、本体部１に挿入される側の面である。外側面３２は、内側面３１の反対側の面である。外周面３３に、入水部３３ａが設けられている。入水部３３ａは、内部が中空の筒状形状を有している。具体的には、入水部３３ａの内部は、入水側接続口３３ｂとなっている。入水側接続口３３ｂは、本体部１の中心軸線Ａ１からオフセットしている。
【００２６】
第１の蓋部材３ａの内側面３１側は、先端部３４となっている。先端部３４は、本体部１の内径に略等しい外径を有している。第１の蓋部材３ａは、先端部３４が本体部１の開口部１４に挿入されることにより、開口部１４に配置されている。先端部３４と本体部１の端部１３との間には、シール部材３５が配置されている。シール部材３５は、例えば、Оリングである。これにより、開口部１４が閉じられ、除菌対象となる流体が本体部１から流出することが防止されている。
【００２７】
第１の蓋部材３ａの内部に、キャビティ３６が設けられている。キャビティ３６は、先端部３４よりも外側面３２側に位置している。キャビティ３６は、第１の蓋部材３ａの内側面３１側に開口している。これにより、キャビティ３６は、流路１２と連通している。キャビティ３６の内径は、除菌ランプ保護管１１の外径よりも大きい。そのため、キャビティ３６の内壁３６ａと除菌ランプ保護管１１の外周面との間には、空間が形成されている。この空間が、蓋内流路３７となっている。キャビティ３６は、入水側接続口３３ｂと連通している。そのため、蓋内流路３７は、一方において入水側接続口３３ｂと連通している。
【００２８】
蓋内流路３７は、キャビティ３６の内壁３６ａと除菌ランプ保護管１１の外周面との間の空間であり、除菌ランプ保護管１１は、本体部１の中心軸線Ａ１と平行に配置されているため、蓋内流路３７は、本体部１の中心軸線Ａ１の周囲を周回するように設けられている。
【００２９】
上記のとおり、キャビティ３６は内側面３１側に開口しているため、入水側接続口３３ｂに注水された除菌対象となる流体は、キャビティ３６を介して本体部１の内部に設けられた流路１２に流れる。すなわち、蓋内流路３７は、他方において、流路１２と連通している。
【００３０】
図３に示すように（なお、図３においては、キャビティ３６の内壁３６ａの形状を明らかにするために、第１の蓋部材３ａ以外の部材の図示は省略してある）、キャビティ３６の内壁３６ａは、入水側接続口３３ｂから遠ざかるにつれて、本体部１側に近くなるように、傾斜している。すなわち、キャビティ３６の内壁３６ａは、本体部１の中心軸線Ａ１の周囲を入水側接続口３３ｂ側から流路１２側に向かって周回するにしたがって、本体部１に近づくように傾斜している。そのため、蓋内流路３７は、入水側接続口３３ｂから流路１２に向かうにしたがい、本体部１に近づくように傾斜している。
【００３１】
図４に示すように（なお、図４においては、キャビティ３６の内壁３６ａの位置と入水側接続口３３ｂとの位置関係を明らかにするため、第１の蓋部材３ａ以外の部材の図示は省略してある）、蓋内流路３７は、本体部１の中心軸線Ａ１の方向において、相互に重ならないように傾斜していることが好ましい。
【００３２】
このことをさらに別の観点からいえば、キャビティ３６の内壁３６ａは、蓋内流路３７の入水側接続口３３ｂ側の端に位置する部分が、蓋内流路３７の入水側接続口３３ｂ側の端から本体部１の中心軸線Ａ１を１周回した場所に位置する部分と重ならないように傾斜していることが好ましい。
【００３３】
図５に示すように、入水側接続口３３ｂの本体部１の中心軸線Ａ１に垂直な方向における幅は、キャビティ３６と連通している部分において、幅Ｗ１となっている。入水側接続口３３ｂは、平行部３３ｂａを有している。平行部３３ｂａにおいては、入水側接続口３３ｂの内周面が、入水側接続口３３ｂの中心軸線Ａ２に平行となっている。入水側接続口３３ｂの本体部１の中心軸線Ａ１に垂直な方向における幅は、平行部３３ｂａにおいて、幅Ｗ２となっている。幅Ｗ１は、幅Ｗ２よりも狭い。これにより、図６に示すように、蓋内流路３７と入水側接続口３３ｂにより構成される除菌対象となる流体の流路は、キャビティ３６と入水側接続口３３ｂとが連通している部分の前後において、幅が狭くなっている。
【００３４】
図７に示すように、キャビティ３６の本体部１の中心軸線Ａ１に平行な方向における高さは、入水側接続口３３ｂと連通している部分において、高さＨ１となっている。入水側接続口３３ｂの最大高さは、キャビティ３６と連通している部分において、高さＨ２となっている。高さＨ１は、高さＨ２より高くなっている。これにより、図８に示すように、蓋内流路３７と入水側接続口３３ｂにより構成される除菌対象となる流体の流路は、キャビティ３６と入水側接続口３３ｂとが連通している部分の前後において、高さが高くなっている。
【００３５】
図２に示すように、第１の蓋部材３ａの外側面３２側には、ランプ挿入穴３８が設けられている。ランプ挿入穴３８は、キャビティ３６と連通している。ランプ挿入穴３８の内径は、除菌ランプ保護管１１の外径と略等しい。
【００３６】
ランプ挿入穴３８には、除菌ランプ保護管１１の端部が挿入されている。ランプ挿入穴３８と除菌ランプ保護管１１の外周面の間には、シール部材３９が設けられている。シール部材３９は、例えば、Ｏリングである。これにより、第１の蓋部材３ａから除菌対象となる流体が流出することが防止されている。
【００３７】
第１の蓋部材３ａの外側面３２上には、ランプ固定部材２２が設けられている。ランプ固定部材２２により、第１の蓋部材３ａのランプ挿入穴３８を通して除菌ランプ保護管１１の内部に設置された除菌ランプ２が固定されている。ランプ固定部材２２は、例えばビス等により、第１の蓋部材３ａの外側面３２上に固定されている。ランプ固定部材２２には、例えばＳＰＳ等が用いられる。
【００３８】
第２の蓋部材３ｂは、入水部３３ａ及び入水側接続口３３ｂに代えて出水部３３ｄ及び出水側接続口３３ｅを有している点を除き、第１の第１の蓋部材３ａと同様の構成を有している。好ましくは、第２の蓋部材３ｂは、第１の蓋部材３ａと同一形状を有している。
【００３９】
ここで、第２の蓋部材３ｂが第１の蓋部材３ａと同一形状を有している場合には、第１の蓋部材３ａと第２の蓋部材３ｂが完全に同一の形状を有している場合のみならず、第１の蓋部材３ａの形状と第２の蓋部材３ｂの形状とが、製造誤差の範囲内で一致している場合も含まれる。
【００４０】
固定部材４は、本体部１の中心軸線方向から、第１の蓋部材３ａ及び第２の蓋部材３ｂと本体部１とを挟持するように配置されている。これにより、第１の蓋部材３ａ及び第２の蓋部材３ｂは、本体部１に固定されている。固定部材４は、中央部４１と、固定部４２とを有している。中央部４１は、固定部材４の中央に位置し、本体部１の中心軸線方向に沿って延在している。固定部４２は、第１の蓋部材３ａ及び第２の蓋部材３ｂの外側面３２にビス等で固定されている。
【００４１】
固定部材４は、例えば、一枚の板状の部材に対して、プレス金型を用いた曲げ加工を行うことにより形成される。固定部材４には、例えばＳＧＣＣ（溶融亜鉛めっき鋼板）が用いられる。
【００４２】
以下に、実施形態に係る除菌装置の動作について説明する。実施形態に係る除菌装置の入水側接続口３３ｂには、除菌対象となる流体が供給される。この供給された除菌対象となる流体は、本体部１の内部に設けられた流路１２を流れる。入水側接続口３３ｂは、本体部１の中心軸線Ａ１からオフセットして設けられているため、この供給された除菌対象となる流体は、旋回流となって流路１２を流れる。
【００４３】
除菌対象となる流体が流路１２を流れている間、除菌対象となる流体には、除菌ランプ２から紫外線が照射される。これにより、除菌対象となる流体中に含まれる雑菌が除菌される。その後、流路１２内で除菌された流体は、出水側接続口３３ｅから流れ出る。以上によって、除菌対象となる流体が実施形態に係る除菌装置を通過することにより、除菌処理が行われる。
【００４４】
（実施形態に係る温水装置の構成）
以下に、実施形態に係る温水装置の一例としての給湯装置の構成について、図９を参照して説明する。実施形態に係る温水装置は、給湯経路５１と、風呂循環経路５２と、注湯経路５３とを有している。
【００４５】
給湯経路５１は、上水を加熱する経路である。給湯経路５１は、配管５１ａと、配管５１ｂと、熱交換器５１ｃとを有している。配管５１ａの一方端は、上水道に接続されている。配管５１ａの他方端は、熱交換器５１ｃの一方端に接続されている。熱交換器５１ｃの他方端は、配管５１ｂの一方端に接続されている。配管５１ｂの他方端は、カラン等に接続されている。熱交換器５１ｃの近傍には、バーナ５１ｄが配置されている。
【００４６】
風呂循環経路５２は、浴槽６中の湯水を加熱する経路である。風呂循環経路５２は、配管５２ａと、配管５２ｂと、配管５２ｃと、除菌装置５２ｄと、熱交換器５２ｅとを有している。除菌装置５２ｄは、上記の実施形態に係る除菌装置である。
【００４７】
配管５２ａの一方端は、除菌装置５２ｄの入水側接続口３３ｂに接続されている。配管５２ａの他方端は、循環アダプタ６１に接続されている。除菌装置５２ｄの出水側接続口３３ｅは、配管５２ｂの一方端に接続されている。配管５２ｂの他方端は、熱交換器５２ｅの一方端に接続されている。熱交換器５２ｅの他方端は、配管５２ｃの一方端に接続されている。配管５２ｃの他方端は、循環アダプタ６１に接続されている。熱交換器５２ｅの近傍には、バーナ５２ｆが配置されている。なお、配管５２ａ上には、循環ポンプ５２ｇが設けられている。なお、除菌装置５２ｄを給湯装置の筐体に取り付ける際には、固定部材４の中央部４１が取り付けのためのガイドとなる。
【００４８】
注湯経路５３は、給湯経路５１から風呂循環経路５２に湯水を流入させる経路である。注湯経路５３の一方端は、給湯経路５１に接続されている。より具体的には、注湯経路５３の一方端は、配管５１ｂに接続されている。注湯経路５３の他方端は、風呂循環経路５２に接続されている。より具体的には、注湯経路５３の他方端は、配管５２ｂに接続されている。注湯経路５３上には、注湯弁５３ａが設けられている。
【００４９】
循環アダプタ６１は、浴槽６内に設けられている。循環アダプタ６１は、吐出口と吸込口とを有している。
【００５０】
以下に、実施形態に係る温水装置の一例としての給湯装置の動作について説明する。
まず、給湯動作について説明する。供給された上水は、配管５１ａを介して熱交換器５１ｃに供給される。熱交換器５１ｃに供給された上水は、熱交換器５１ｃにおいて加熱されて湯となる。この湯は、配管５１ｂを介してカラン等へ供給される。
【００５１】
次に、湯張り動作について説明する。供給された上水は、配管５１ａを介して熱交換器５１ｃに供給される。熱交換器５１ｃに供給された上水は、熱交換器５１ｃにおいて加熱されて湯となる。湯張り動作を行っている際には、注湯弁５３ａは開状態となっている。そのため、この湯は、注湯経路５３、配管５２ｃおよび循環アダプタ６１の吐出口を介して浴槽６に供給される。
【００５２】
さらに、除菌動作について説明する。循環ポンプ５２ｇにより、循環アダプタ６１の吸込口から、浴槽６の湯が図中の矢印の方向に吸い上げられる。この吸い上げられた湯は、配管５２ａを介し、除菌装置５２ｄに供給される。除菌装置５２ｄに供給された湯は、除菌装置５２ｄにおいて除菌される。この除菌された湯は、配管５２ｂ、熱交換器５２ｅ、配管５２ｃ、及び循環アダプタ６１の吐出口を介して、浴槽６に戻される。これにより、浴槽６内の湯の除菌が行われる。なお、除菌装置５２ｄにおいて除菌された湯は、熱交換器５２ｅにおいて昇温されてもよい。すなわち、除菌動作は、追い焚き動作中に行われてもよい。
【００５３】
（実施形態に係る除菌装置及び温水装置の効果）
実施形態に係る除菌装置においては、蓋内流路３７は、本体部１の中心軸線Ａ１の周囲を周回しており、入水側接続口３３ｂ側から流路１２側に向かうにしたがって本体部１に近づくよう傾斜している。そのため、実施形態に係る除菌装置においては、入水側接続口３３ｂから供給される除菌対象となる流体が流路１２中において旋回流となる際の圧力損失が抑制される。
【００５４】
また、実施形態に係る除菌装置は、蓋内流路３７がこのような構成を有していることにより、排水する際に除菌対象となる流体が残りにくく、通水する際に流路１２内の空気が抜けやすい。
【００５５】
実施形態に係る除菌装置において、蓋内流路３７が本体部１の中心軸線Ａ１の方向において相互に重ならないように傾斜している場合、入水側接続口３３ｂから供給される除菌対象となる流体と、蓋内流路３７中を流れる除菌対象となる流体とが相互に衝突しない。そのため、この場合には、入水側接続口３３ｂから供給される除菌対象となる流体が流路１２中において旋回流となる際の圧力損失がさらに抑制される。
【００５６】
実施形態に係る除菌装置において、高さＨ１が高さＨ２よりも高い場合、入水側接続口３３ｂと蓋内流路３７とが連通している部分において入水側接続口３３ｂの幅が減少したとしても流路の断面積が大幅に変動しないため、入水側接続口３３ｂから供給される除菌対象となる流体が流路１２中において旋回流となる際の圧力損失がさらに抑制される。
【００５７】
実施形態に係る除菌装置において、第１の蓋部材３ａと第２の蓋部材３ｂとが同一の形状を有している場合、同一の部材を共通して用いることが可能となる。そのため、この場合には、製造コストを低減することが可能となる。
【００５８】
実施形態に係る温水装置においては、実施形態に係る除菌装置の圧力損失を抑制することができるため、除菌動作時の循環ポンプ５２ｇの負荷を軽減できる。その結果、例えばより出力の小さな循環ポンプ５２ｇを用いることが可能となる。
【００５９】
今回開示された実施形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００６０】
１  本体部、１１  除菌ランプ保護管、１２  流路、１３  端部、１４  開口部、２  除菌ランプ、２１  電装部、２２  ランプ固定部材、３  蓋部材、３ａ  第１の蓋部材、３ｂ  第２の蓋部材、３１  内側面、３２  外側面、３３  外周面、３３ａ  入水部、３３ｂ  入水側接続口、３３ｂａ  平行部、３３ｄ  出水部、３３ｅ  出水側接続口、３４  先端部、３５  シール部材、３６  キャビティ、３６ａ  内壁、３７  蓋内流路、３８  ランプ挿入穴、３９  シール部材、４  固定部材、４１  中央部、４２  固定部、５１  給湯経路、５１ａ，５１ｂ，５２ａ，５２ｂ，５２ｃ  配管、５１ｃ，５２ｅ  熱交換器、５１ｄ，５２ｆ  バーナ、５２  風呂循環経路、５２ｄ  除菌装置、５２ｇ  循環ポンプ、５３  注湯経路、５３ａ  注湯弁、６  浴槽、６１  循環アダプタ、Ａ１  本体部の中心軸線、Ａ２  入水口の中心軸線、Ｈ１，Ｈ２  高さ、Ｗ１，Ｗ２  幅。
【図１】
0006798147.tif 000002
【図２】
0006798147.tif 000003
【図３】
0006798147.tif 000004
【図４】
0006798147.tif 000005
【図５】
0006798147.tif 000006
【図６】
0006798147.tif 000007
【図７】
0006798147.tif 000008
【図８】
0006798147.tif 000009
【図９】
0006798147.tif 000010